(57)【要約】【課題】装置コストが格段に安くてしかも高精度な画像記録をガラス基板に行うことにできる画像記録方法および装置を提供する。【解決手段】ガラス基板を円筒状支持体（ドラム）上に固定し、該円筒状支持体を回転させ（主走査）、レーザ記録ヘッドを前記円筒状支持体軸方向に移動させ（副走査）、前記レーザ記録ヘッドから画像様にレーザ光を変調制御して前記ガラス基板上に画像文字等を記録するようにした。【選択図】　図７
2004098559.tif 000002
【特許請求の範囲】
【請求項１】
ガラス基板を円筒状支持体上に固定し、該円筒状支持体を回転させ（主走査）、レーザ記録ヘッドを前記円筒状支持体軸方向に移動させ（副走査）、前記レーザ記録ヘッドから画像様にレーザ光を変調制御して前記ガラス基板上に画像文字等を記録することを特徴とする画像文字記録方法。
【請求項２】
前記円筒状支持体の曲率半径が、前記ガラス基板の曲げ許容応力以内であることを特徴とする請求項１記載の画像文字記録方法。
【請求項３】
通常のガラスの場合、上記曲率半径が１．３９ｍ以上であることを特徴とする請求項２記載の画像文字記録方法。
【請求項４】
前記ガラス基板を前記円筒状支持体上に複数枚固定することを特徴とする請求項１〜３のいずれか１項記載の画像文字記録方法。
【請求項５】
ガラス基板を複数枚重ねて収容するガラス基板収納カセットと、前記ガラス基板を固定できる円筒状支持体と、前記ガラス基板収納カセットの最上の前記ガラス基板を１枚取り出し前記円筒状支持体上へ搬送するガラス基板搬送機構と、前記ガラス基板を前記円筒状支持体上へ固定するガラス基板固定機構と、前記円筒状支持体を回転させる回転駆動装置と、前記円筒状支持体軸方向に移動可能なレーザ記録ヘッドと、前記レーザ記録ヘッドからのレーザ光を変調制御させる変調制御装置とを備えたことを特徴とする画像文字記録装置。
【請求項６】
前記円筒状支持体の曲率半径が、前記ガラス基板の曲げ許容応力以内であることを特徴とする請求項５記載の画像文字記録装置。
【請求項７】
前記円筒状支持体が記録ドラムであることを特徴とする請求項６記載の画像文字記録装置。
【請求項８】
前記円筒状支持体が複数枚の円盤を軸方向に並置させて成るものであることを特徴とする請求項６記載の画像文字記録装置。
【発明の詳細な説明】
【０００１】
【発明の属する技術分野】
本発明は、ガラス基板に画像記録をする画像記録方法およびその装置に関するもので、特にレーザー光を用いた高解像度の液晶用カラーフィルタの製造に有効な画像記録方法およびその装置に関する。
【０００２】
【従来の技術】
ガラス基板に画像記録をするニーズは従来より多かった。この場合、ガラス基板に画像記録をする方法としては、同じく本出願人の先願に係る移動自在ステージを用いるものがある（例えば、特許文献１参照。）。
【０００３】
【特許文献１】
特願２００１−１８９９１３号
【０００４】
図１１はその特願２００１−１８９９１３号の発明に係る記録装置の平面図、図１２は正面図である。両図において、記録装置２１は、その主要な構成として、ガラス基板のような非可撓体２３を保持し且つ非可撓体２３の記録面２５と平行な面に沿って移動自在なステージ２７と、スタンバイ位置６５又は記録原点位置６９のいずれかの位置に移動してレーザービームを出射させて形成した複数のスポットで画像を記録する記録ヘッド２９と、ステージ２７に保持した非可撓体２３に、記録媒体（受像シート又は転写シート）を供給する記録媒体供給部３１と、記録媒体を押圧して非可撓体２３の記録面２５に密着させる加圧ローラ（図示なし）と、記録媒体を非可撓体２３から剥離する剥離手段（図示なし）とを有している。
【０００５】
さらに、記録装置２１は、これら主要構成に加えて、非可撓体２３を積層して載置する非可撓体供給部３３と、非可撓体供給部３３から非可撓体２３をステージ２７へ搬送する後述の搬入機構４９と、画像の転写された非可撓体２３をステージ２７から排出する排出機構５１と、排出機構５１によって排出した非可撓体２３を積層して載置する非可撓体受部３５とを付設している。また、３７（図１１）は、使用済みの記録媒体を廃棄する廃棄箱を示す。そして記録装置２１は、ステージ２７、記録ヘッド２９を有する記録部３９と、記録媒体供給部３１との外周を、レーザ漏出防止の安全上の観点から遮蔽フレーム４１により覆っている。
液晶用ブラックストライプ、又は液晶用カラーフィルタを形成する目的で本記録装置２１を用いる場合には、少なくとも記録装置２１の本体と、非可撓体供給部３３、非可撓体受部３５をクリーンルーム内に設置する。
【０００６】
非可撓体供給部３３は、複数の非可撓体２３を所定間隔で積層して載置する。通常、非可撓体２３は、埃等が降り積もらないようにするため、記録面２５が下側となるようにして載置する。
記録装置２１は、非可撓体供給部３３とステージ２７との間に搬入機構４９を有している。また、記録装置２１は、ステージ２７と非可撓体受部３５との間に排出機構５１を有している。これらの搬入機構４９及び排出機構５１は、非可撓体２３を保持するための真空吸引方式の吸盤５３を有している。吸盤５３は、少なくとも３個以上設け、好ましくは４個とする。それぞれの吸盤５３には図示しないエア配管を接続し、このエア配管の端部には真空ポンプやブロア等の吸引源５５を接続する。なお、吸盤の数は、非可撓体２３のサイズ等により、必要に応じて増やしてもよい
【０００７】
搬入機構４９及び排出機構５１は、吸盤５３を基台５７に取り付けている。基台５７は、図示しないスライドレール又はガイド溝によって、ステージ２７と、搬入機構４９又は排出機構５１との間を往復できるようになっている。この基台５７は、電動モータ、エアシリンダ、油圧シリンダ等のいずれかの駆動源を用いて駆動させる。
記録装置２１の本体は、記録ヘッド２９の画像形成回路、記録ヘッド２９の駆動モータ、ステージ２７の駆動モータ、搬入機構４９、排出機構５１、吸引源５５等を制御するコントローラ５９と、このコントローラ５９や吸引源５５並びに各駆動モータ等へ電源を供給する電源６１を備えている。また、記録装置２１は、コントローラ５９とホストコンピュータ６３とを通信線で接続し、画像形成制御、非可撓体２３の供給及び排出等の制御が制御信号の送受信によって行えるようになっている。
【０００８】
次に、非可撓体供給部３３から非可撓体２３を取り出してステージ２７へ搬入する動作について説明する。記録装置２１の本体において、記録ヘッド２９は、ステージ２７上から記録ヘッドスタンバイ位置６５へ退避させておく。また、ステージ２７は、非可撓体２３の供給位置に移動させておく。ここで、記録部３９は中心位置が記録ヘッド２９の記録原点位置６９（図１１）となる。また、ステージ２７の移動範囲は、記録原点位置６９を中心として、各面積がステージ２７と同面積の第一象限、第二象限、第三象限、第四象限の範囲となる。つまり、ステージ２７は、縦横サイズの二倍の距離を移動可能となっている。これにより、記録原点位置６９に位置した記録ヘッド２９は、ステージ２７上の全ての位置に相対的に走査可能となっている。
搬入機構４９は基台５７を非可撓体供給部３３の最上層に載置した非可撓体２３の上方まで略水平方向に移動させ（図１２）、非可撓体２３の上方で停止させ、次いで下降させ、吸盤５３が非可撓体２３に当接したときに下降を停止する。そして、吸盤５３が非可撓体２３に当接した状態で吸引源５５（図１２）を駆動させて吸盤５３に負圧を作用させ、非可撓体２３をピン４５から浮上させて吸着保持する。非可撓体２３は、吸盤５３による吸着面と反対側の面が記録面２５となる。このため、記録面２５には吸盤による吸着跡が残ることはない。
非可撓体２３を保持した基台５７は、水平方向に記録装置２１の本体側へ戻り、記録装置２１の本体手前で一旦停止する。次いで、基台５７は、搬入機構４９の上下を反転させ、記録面２５が上向きとなるようにして非可撓体２３を支持する。基台５７はこの支持姿勢のまま、遮蔽フレーム４１に形成した図示しない搬入開口部を通過して、非可撓体２３をステージ２７の上方まで搬入する。
【０００９】
ステージ２７の上面には、非可撓体２３の厚みと略同一の深さとなった平面視四角形状の凹部を形成し、この凹部に非可撓体２３を収容する。また、この凹部の底面には、非可撓体２３を支持しながら持ち上げる昇降自在な複数のピンが立設されている。凹部７１はまた直交する２つの側面のそれぞれに、対向する側面に向かって片寄せする突出自在な片寄せピンを有している。
ステージ２７は凹部の周縁及び底面に複数の吸引用孔を穿設し、この吸引用孔は吸引源５５（図１２）にエア配管によって接続され、吸引用孔からエアを吸引することで非可撓体２３を凹部の底面に吸引固定するようになっている。
基台５７がステージ２７の上方で停止し下降し非可撓体２３がピンに接したときに下降を停止する。基台５７が停止するとエア配管を大気に開放し、非可撓体２３がピンにより支持される。その後、基台５７を遮蔽フレーム４１の通過開口部から記録装置２１の本体外部へと退避させる。ステージ２７は、ピン７３を下降することにより、非可撓体２３を凹部７１内に載置する。ステージ２７は、非可撓体２３が凹部７１の底面に接したなら、直交する２つの側面から片寄せピン７５を対向する側面に向かって移動させる。これにより、非可撓体２３は直交する２つの側面が、凹部の直交する２つの側面に当接し、ＸＹ方向の位置決めが行われる。
【００１０】
次いで、ステージ２７は、吸引源５５によって吸引用孔７７からエアを吸気し、非可撓体２３を凹部７１内の底面に吸引固定する。これにより、非可撓体２３のステージ２７への保持が完了する。
次に、ステージに保持された非可撓体に対して画像記録が行われ、その後これと同じ行程を逆に行って、非可撓体受部３５へ移される。
【００１１】
【発明が解決しようとする課題】
以上のように、この先行発明に係る記録方法によれば、非可撓体供給部からステージ上に供給した非可撓体に、転写シートを密着させ、レーザービームで転写シートに画像を記録し、転写シートを非可撓体から剥離することで非可撓体の記録面にこの画像を転写できるので、ガラス基板のような折り曲げることのできない非可撓体に高画質な画像を記録することができた。
ところが、このような平面記録装置は、装置コストが格段に高い欠点があり、さらに、高精度を得るために、高価な部品や高精度の位置制御機構が必要となるなどの欠点があった。
本発明の目的は、このような平面記録装置のもつ欠点を解決するもので、装置コストが大きくダウンできてしかも高精度を得るための高価な部品や高精度の位置制御機構の必要としない記録方法およびその装置を提供することにある。
【００１２】
【課題を解決するための手段】
上記の目的を達成するため、請求項１記載の画像文字記録方法の発明は、ガラス基板を円筒状支持体上に固定し、該円筒状支持体を回転させ（主走査）、レーザ記録ヘッドを前記円筒状支持体軸方向に移動させ（副走査）、前記レーザ記録ヘッドから画像様にレーザ光を変調制御して前記ガラス基板上に画像文字等を記録することを特徴とする。
請求項２記載の発明は、請求項１記載の画像文字記録方法において、前記円筒状支持体の曲率半径が、前記ガラス基板の曲げ許容応力以内であることを特徴とする。
請求項３記載の発明は、請求項２記載の画像文字記録方法において、上記曲率半径が０．７９ｍ以上であることを特徴とする。
請求項４記載の発明は、請求項１〜３のいずれか１項記載の画像文字記録方法において、前記ガラス基板を前記円筒状支持体上に複数枚固定することを特徴とする。
請求項５記載の画像文字記録装置の発明は、ガラス基板を固定できる円筒状支持体と、該円筒状支持体を回転させる回転駆動装置と、前記円筒状支持体軸方向に移動可能なレーザ記録ヘッドと、前記レーザ記録ヘッドからのレーザ光を変調制御させる変調制御装置とを備えたことを特徴とする。
請求項６記載の発明は、請求項５記載の画像文字記録装置において、前記円筒状支持体の曲率半径が、前記ガラス基板の曲げ許容応力以内であることを特徴とする。
請求項７記載の発明は、請求項６記載の画像文字記録装置において、前記円筒状支持体が記録ドラムであることを特徴とする。
請求項８記載の発明は、請求項６記載の画像文字記録において、前記円筒状支持体が複数枚の円盤を軸方向に並置させて成るものであることを特徴とする。
【００１３】
【発明の実施の形態】
以下、本発明について、図面を参照して詳細に説明する。
本発明は、ガラス基板を円筒状支持体上に固定して、この状態で円筒状支持体を回転させ（主走査）、レーザ記録ヘッドを円筒状支持体の軸方向に移動させ（副走査）てレーザ記録ヘッドから画像様にレーザ光を変調制御してガラス基板上に画像文字等を記録する方法である。
従来は、前述の先行発明のごとく、「ガラス基板は曲がらないもの」（非可撓体）と思われていたので、これを曲げた状態で記録することなどは全く念頭になかった。また、ガラス基板がある程度曲がりうることを知っていた専門家がいても、わざわざ曲げた状態で記録することのメリットに十分気がついていなかったので、敢えてそのような割れるかも知れない危険負担を押して円筒ドラムに装着するといった挙行は行わなかった。
【００１４】
ところが、本出願人は液晶用カラーフィルタに用いるようなガラス基板であれば、十分に屈曲に耐えるものであることを見いだし、したがってガラス基板を円筒状支持体に固定した状態で記録をすることが可能となり、しかも、それによって先行発明のような大がかりな装置が必要でなくなり、大幅なコストダウンに繋がることのメリットを見いだ出した。
【００１５】
以下、本発明について説明する。
図１は本発明の第１の実施の形態を示す図で、（ａ）は円筒状ドラムにガラス基板が巻かれた状態の斜視図、（ｂ）は図１（ａ）のＡ−Ａ断面図、（ｃ）は図１（ａ）のＢ−Ｂ断面図を示している。１１は円筒状ドラム、Ｇはガラス基板である。このように本発明によれば、平面ガラス基板Ｇが円筒状ドラム１の上に巻かれて固定されている。円筒状ドラム１１の半径、平面ガラス基板Ｇの種類および厚さについては後述する。
【００１６】
図２は本発明の第２の実施の形態を示す図で、（ａ）は２枚の円盤にガラス基板が巻かれた状態の斜視図、（ｂ）は図２（ａ）のＡ−Ａ断面図、（ｃ）は図２（ａ）のＢ−Ｂ断面図を示している。２枚の円盤２１１、２１２が軸方向の両端にあり、その２枚の円盤２１１、２１２を跨ぐように円周上にガラス基板Ｇが巻かれている。２１１、２１２は円盤であり、円周上に固定したガラス基板Ｇがズレないように、内側に低くなる段差が形成されている。円盤２１１、２１２の半径、平面ガラス基板Ｇの種類および厚さについては後述する。
【００１７】
図３はガラス基板の固定方法の具体例を示すもので、（ａ）はローラで押さえる方法、（ｂ）はバネ等の力で押さえる方法とを示している。
図３（ａ）において、３１１および３１２は押さえローラで、円筒ドラム１１にガラス基板Ｇが固定された段階でガラス基板Ｇの両端部を押さえローラ３１１、３１２が押圧するようになる。また、押さえローラ３１１をスクイーズ用のローラとして兼用してもよい。
図３（ｂ）において、３２１、３２２は端部押さえ部材でその一端が常時、円筒ドラム１１側へ付勢されるようにスプリング付勢されている。ガラス基板Ｇに接する部位に弾性体を備え、ガラス基板Ｇが破損しないようにしている。固定する際は、端部押さえ部材３２１、３２２の他端を円筒ドラム１１側へ押圧することによってスプリング圧に抗して前記一端が大きく開口するので、ここへガラス基板Ｇの端部を差し込み、前記他端をはなせばよい。
図２の２枚の円盤を用いる方法においては、図３（ａ）の押さえローラで押さえる方法は用いずに、図３（ｂ）の方法を用いるか、あるいはガラス基板の端部との接触部分をゴム等の弾力部材にしてＣＴＰ等で用いられているチャッキング機構を使用するのがよい。
【００１８】
図４は、本記録方法によってガラス基板に記録される記録パターンの一例を示すもので、液晶用カラーフィルタの例を示している。
液晶用カラーフィルタに印刷されるストライプ幅は、５〜１０００μｍ、液晶用カラーフィルタでは３０〜３００μｍ、ストライプ長さは、全幅の場合、２〜７０インチ（対角）、短冊パターンの場合、長さ；５０〜２０００μｍとなっている。各ストライプは図で縦方向に同一色（例えば、図で左側から順にＲ、Ｇ、Ｂ、Ｒ、Ｇ、Ｂ、Ｒ、・・・）で記録される。また、各ストライプ間にＫ（黒）を記録してコントラストを上げることもできる。
【００１９】
ここで本発明に用いられるガラス基板の曲率について考察する。
ドラムの半径Ｒはガラスが割れない程度に巻きつけるＲであることが必要である。材料力学の一般知識（たとえば、本〔材料力学＜基礎編＞森北出版株式会社発行　尾田十八他著　１９８８年１２月２６日第１版第１刷発行〕の９８ページに）よれば、以下のことが記載されている。
まず、各記号を次のように定義する。
σ；応力（材料を曲げたときの、材料内部に発生する応力）
Ｅ；ヤング率
ｚ；厚さの半分
Ｒ；曲率半径
今回のような単純な断面形状では、材料の表面に最大応力が発生するので、
式（１）が得られる。
σ＝Ｅ×ｚ／Ｒ　　　・・・・（１）
つまり、式（１）からは、材料のヤング率Ｅと厚さ２ｚ、そして曲げた時の曲率半径Ｒが分かれば、材料の表面に生じる応力σがわかる。
また、式（１）の変形により式（２）が得られる。
Ｒ＝Ｅ×ｚ／σ　　　　　・・・・（２）
この式の意味するところは、材料のヤング率Ｅと厚さ２ｚ、そして曲げたときの材料の表面に生じる応力σが分かれば、曲率半径Ｒが分かるということである。言い換えれば、ヤング率と厚さが既知であれば、材料に加えた応力σで曲率半径Ｒが決まることにある。
【００２０】
そこでガラス基板をどこまで曲げることが可能かを知るために、上記３つの要素、ガラスの応力σとヤング率Ｅとガラス基板厚さ２ｚについて具体的な数値を調べることとする。
１）ガラスの応力σについて：
ガラスの破壊応力については、日本板硝子株式会社のホームページ　ｈｔｔｐ：／／ｗｗｗ．ｎｓｇ．ｃｏ．ｊｐ／ｃａｔ／ｐｄｆ／ｇ１０−０１０．ｐｄｆによれば、通常のガラス（資料ではフロート板ガラス）では、平均破壊応力は面内よりもエッジ部の方が小さくその値は、３５Ｍｐａ（≒３６０ｋｇ／ｃｍ２）である。
また、許容応力は、破壊確率などから安全率を考慮し、通常のガラスでの、エッジ部許容応力は、１８Ｍｐａ（≒１８０ｋｇ／ｃｍ２）となる。
さらに、倍強度ガラスの場合、許容応力は同様に３５Ｍｐａ（≒３６０ｋｇ／ｃｍ２）となる。
さらに、強化ガラスの場合、許容応力は同様に７９Ｍｐａ（≒８１０ｋｇ／ｃｍ２）となる。
【００２１】
２）ガラスのヤング率Ｅについて：
ガラスのヤング率Ｅは、理科年表から、７．１３×１０４（ＭＰａ）である。
【００２２】
３）ガラス基板の厚さ２ｚについて：
液晶用に通常用いられるガラス基板の厚さは０．７ｍｍである。
しかしその他にも、旧来タイプの液晶では、１．１ｍｍのものがあり、今後使用が予想されるものとして、０．５ｍｍのものや、０．４ｍｍのものが考えられる。さらに、将来、ガラス製造技術やハンドリング等の技術が開発されれば、０．２ｍｍや０．１ｍｍ、０．０５ｍｍといった超薄型のガラス基板も使用可能となる。
【００２３】
したがってこれらの値（σ、Ｅ、ｚ）と、式（２）より、各々の種類と厚さによってガラス基板を曲げることが許容される曲率半径が求まる。
図５に示す表は、厚さ（ｍ）を変えたときの３種類のガラスの曲率半径（ｍ）を示している。図５において、液晶用に通常用いられるガラス基板の厚さは、前述のように、０．７ｍｍであるので、通常の（フロート板）ガラスとの組合せでは、使用する円筒ドラムの半径は１．３９ｍ以上のものであればよいということになる。
また、倍強度ガラスの場合は、円筒ドラムの半径は０．７１ｍ以上のものであればよいということになる。
【００２４】
図６は、図５に示す表を分かりやすくグラフ化して一般化したものである。
図６において、液晶用に通常用いられるガラス基板の厚さは、前述のように、０．７ｍｍであるので使用する円筒ドラムの半径は１．３９ｍ以上のものであればよいということになる。同じく、０．７ｍｍ厚の倍強度ガラスの場合は、円筒ドラムの半径は０．７１ｍ以上のものであればよいということになる。
なお、以上の範囲のうちどの値を採るかは、安全率の設定に関係する。
【００２５】
上記の結果に基づき、半径が１．３９ｍの円筒ドラム（ドラム周長８．７３ｍ）を使用した。ドラムは大型化するが、逆に通常ガラスのサイズが、例えば縦横１ｍ×１ｍのものであれば、ドラム上に８枚が設置可能となるので、生産性が大幅に向上した。もちろん、製造コストは先行発明の１０〜２０分の１程度に納まった。
また、倍強度ガラスの場合は半径が０．７１ｍの円筒ドラム（ドラム周長４．４ｍ）を使用するのでドラムが小型化できた。ガラスのサイズが縦横１ｍ×１ｍのものであればドラム上に４枚が設置可能となった。
【００２６】
使用する記録ヘッドは、複数スポットを備えるものを使用してもよく、記録媒体はヒートモードの他に、光熱変換層を有しないフォトンモード材料でもよい。
転写フィルムの固定としては、（１）円筒ドラム上のガラスエッジ部位置にある吸引穴や吸引溝を利用する。（２）または、ヒートローラ（円筒ドラムの場合）やオーブン熱風によるラミネート、（３）または、本出願人が開発したチャッキング機構（特開１１−１５７１５５号）は異なる半径距離を有するカムの作用位置を少なくとも３箇所備えて形成するようにしたチャッキングカムを使用するものであるが、このチャッキング機構を用いると厚みが異なるガラス基板でも安定して固定することができるので便利である。
【００２７】
図７は、以上のような円筒状支持体にガラス基板を固定して記録する記録装置の１例を全体概略で示す構成図、図８は図７の記録部の拡大斜視図、図９は図７の記録装置に使用されるガラス基板と転写シートの断面図、図１０は図７の記録装置が行う記録工程を概念的に示す説明図である。
【００２８】
図７に示すように、記録装置１０は、ガラス基板供給部１００と、転写シート供給部２００と、記録部３００と、排出部４００とを備える。また、記録装置１０は、本体カバー５１０によって表面を覆われ、脚部５２０によって支えられている。
【００２９】
記録装置１０において、ガラス基板供給部１００は、記録部３００に対してガラス基板を供給する。また転写シート供給部２００は、複数の種類の転写シートを供給することが可能であり、記録部３００に対して複数の種類の転写シートの中から１種類の転写シートを選択的に供給することができる。記録部３００においては、記録媒体固定部材であるドラム３１０に巻き付けられたガラス基板の上に、さらに転写シートが重ねて巻き付けられる。そして、ガラス基板上に転写シートが重ねられた記録媒体に対して、記録したい画像情報に基づいてレーザ露光を行う。レーザ露光により加熱された部分の転写シートのトナーが接着性劣化、溶融或いは昇華によりガラス基板に付着して転写されることによって、ガラス基板上に像が形成される。さらに、同一のガラス基板に対して、異なる複数色（例えば、Ｒ（赤）、Ｇ（緑）、Ｂ（青）、Ｋ（黒））の転写シートのトナーが付着することによって、ガラス基板上にカラー画像を形成することができる。これは、後述するように、ガラス基板をドラム３１０に巻き付けたまま、露光済みの転写シートを別色の転写シートに順次交換してレーザ露光することによって達成される。
【００３０】
この画像が形成されたガラス基板は、排出部４００を経由して排出され、本記録装置から取り出される。以上が記録装置１０の概略である。
次に、ガラス基板供給部１００、転写シート供給部２００、記録部３００、排出部４００のそれぞれについて順を追って説明する。
【００３１】
ガラス基板供給部１００はガラス基板収納カセット１３０を有している。ガラス基板収納カセット１３０は、底面にバネ等があってガラス基板を供給口まで押し上げるようにしている。これにより常時最上のガラス基板が供給口から取り出しピックアップローラ（図示なし。）の回転により１枚だけ取り出され、搬送用ローラ１５４側へ送られる。
ガラス基板収納カセット１３０には、供給口の反対側にガラス基板押出機構があって、最上のガラス基板１枚だけを供給口側に押し出すようにしてもよい。
あるいは、先行発明で説明したような吸盤搬送機構を用いるようにしてもよい。
【００３２】
ガラス基板供給部１００は、さらに、ガラス基板搬送部１５１を有している。ガラス基板搬送部１５１は、モータ（図示なし）と、駆動伝達用のベルト又はチェーン（図示なし）と、搬送用ローラ１５４、１５５と、支持ガイド１５６と、ガラス基板の端点を検出する検出センサ（図示なし）とを有している。
搬送用ローラ１５４及び搬送用ローラ１５５はそれぞれ一対のローラを有している。このような駆動機構によって、ガラス基板１４０を記録部３００の方へ送出あるいは記録部３００から戻したりすることができる。
【００３３】
先ず、ガラス基板収納カセット１３０の先端部が搬送用ローラ１５４に挟まれた状態で、モータなどの前述の駆動機構によってガラス基板１４０が引き出される。これによって、ガラス基板収納カセット１３０から最上のガラス基板１４０が１枚繰り出されていく。ガラス基板１４０はさらに搬送用ローラ１５５に挟まれ、支持ガイド１５６に案内されて搬送される。
【００３４】
次に、転写シート供給部２００について説明する。
転写シート供給部２００は回転ラック２１０を有している。この回転ラック２１０は後述するように回転軸２１３を中心に回転駆動される。また、回転ラック２１０には、複数（図では６個）の転写シートロール２３０が収容されており回転軸２１３を中心にして「放射状」に配置されている。
各転写シートロール２３０は、芯とそれに巻回される転写シート２４０と、芯の両側から差し込まれるフランジ（図示なし）とを有している。各々の転写シートロール２３０は各芯を中心に回転自在に保持されている。フランジの外径は転写シート部分の径よりも大とすることで、転写シート部分が崩れないようになっている。
【００３５】
各転写シート２４０は、図９に示すように、支持層２４０ａ、光熱変換層２４０ｂ、及びトナー層２４０ｃを有しており、支持層２４０ａの上に光熱変換層２４０ｂ、トナー層２４０ｃが順次積層されている。支持層２４０ａは、レーザ光が透過する物であれば一般的な支持体材料から任意なものを選択できる。例えば、ＰＥＴ（ポリエチレンテレフタレート）ベース、ＴＡＣ（トリアセチルセルロース）ベース、ＰＥＮ（ポリエチレンナフタレート）ベースなどである。
【００３６】
光熱変換層２４０ｂは、光熱変換物質、バインダー、及び必要に応じてマット剤を含有し、更に必要に応じて、その他の成分を含有する。光熱変換物質は、照射される光エネルギーを熱エネルギーに変換する機能を有する物質である。一般的には、レーザー光を吸収することのできる色素（顔料を含む。以下、同様である。）である。赤外線レーザーにより画像記録を行う場合は、光熱変換物質としては、赤外線吸収色素を用いるのが好ましい。前記色素の例としては、カーボンブラック等の黒色顔料、フタロシアニン、ナフタロシアニン等の可視から近赤外域に吸収を有する大環状化合物の顔料、光ディスク等の高密度レーザー記録のレーザー吸収材料として使用される有機染料（インドレニン染料等のシアニン染料、アントラキノン系染料、アズレン系色素、フタロシアニン系染料）、及びジチオールニッケル錯体等の有機金属化合物色素を挙げることができる。中でも、シアニン系色素は、赤外線領域の光に対して、高い吸光係数を示すので、光熱変換物質として使用すると、光熱変換層を薄層化することができ、その結果、熱転写シートの記録感度をより向上させることができるので好ましい。
光熱変換物質としては、色素以外にも、黒化銀等の粒子状の金属材料等、無機材料を用いることもできる。すなわち、カーボン、黒色物質、赤外線吸収色素、特定波長吸収物質など光エネルギを熱エネルギに変換する物質なら何でもよい。
【００３７】
画像形成層であるトナー層２４０ｃとしては、例えば、黒（Ｋ）、赤（Ｒ）、緑（Ｇ）、青（Ｂ）各色のトナーシートが用意される。その他、金色、銀色、オレンジ、グレー、ピンクなどの特色の転写シートを用いることもできる。
【００３８】
受像層１４０ｃは、転写されるトナーを受けとめる働きを有するものである。しかしながら、必ずしも不可欠な層ではなく、支持体表面が転写されやすい性質を備えていれば省略することができる。
【００３９】
転写シートロール２３０においては、トナー層２４０ｃが支持層２４０ａに対して外側になるように巻回されている（以下、このように巻かれた転写シートロールを「外巻き」の転写シートロールという）。後述するように、トナー層２４０ｃはトナーインクを有しており、このトナーインクがレーザ露光によりガラス基板に転写される。
【００４０】
図７では、６つの転写シートロール２３０が回転ラック２１０内に収容されている場合が示されている。この６種類の転写シートとしては、例えば、ブラック、レッド、グリーン、ブルーの４色の転写シートと２色（例えば金色、銀色など）の特色の転写シートとを用いることができる。
【００４１】
回転ラック２１０は、さらに、これらの複数の転写シートロール２３０のそれぞれに対応して、それぞれ転写シート繰出し機構２５０を有しており、この転写シート繰出し機構２５０はフィードローラ２５４と支持ガイド２５６とから成っている。図においては、６つの転写シート繰出し機構２５０が設けられている。フィードローラ２５４はローラ２５４ａ、２５４ｂを有している。ローラ２５４ａは、後述するように、ギア機構によってモータと接続されており、モータによって駆動される。ローラ２５４ａはローラ２５４ｂとの間で所定の圧力で転写シート２４０を挟み込むことができる。そして、ローラ２５４ｂは、ローラ２５４ａの回転とは逆向きに回転することによって、転写シート２４０を搬送する。転写シート２４０は、ローラ２５４ａ、２５４ｂによって挟持され、送り出されたり或いは逆に戻されたりすることが可能である。また転写シート２４０の搬送に伴って、転写シートロール２３０が回転する。
【００４２】
このような構造を有する転写シート繰出し機構２５０によって、転写シート２４０が記録部３００に対して供給される。転写シート２４０の先端がフィードローラ２５４に挟まれた状態において、モータなどの前述の駆動機構によってフィードローラ２５４を駆動する。この駆動により転写シート２４０は繰り出されていく。また転写シート２４０は、さらに後述の転写シート搬送部２７０において、所定長さに切断されて記録部３００に対して供給される。
以上のように、複数の転写シートロール２３０を収容する回転ラック２１０は、所望の種類の転写シート２４０を転写シート搬送部２７０に対して選択的に供給することができる。
【００４３】
転写シート供給部２００は、さらに、転写シート搬送部２７０を有している。転写シート搬送部２７０は、モータ（図示なし）と、駆動伝達用のベルト又はチェーン（図示なし）と、搬送用ローラ２７４、２７５と、ガイド２７６と、転写シート切断部２８０と、転写シートの端を検出する検出センサ（図示なし）とを有している。搬送用ローラ２７４及び２７５は、それぞれ一対のローラを有している。ローラ２７４及び２７５は、駆動伝達用のベルト又はチェーンによってモータと接続されており、モータによって駆動されて、転写シート２４０を搬送する。
【００４４】
このような駆動機構によって、転写シート２４０を記録部３００の方へ送出したり、或いは逆に戻したりすることができる。また、このようにして搬送された転写シート２４０は、転写シート切断部２８０によって所定の長さに切断される。転写シート２４０の長さの測定には、検出センサが利用される。転写シート２４０の端を検出センサにより検出し、モータの回転数などを考慮することなどによって、長さを測定することができる。転写シート２４０は、この測定結果に基づいて所定の長さに切断され、記録部３００へと供給される。転写シート切断部２８０は、図示しないがカッタと支持部とガイド等を有する。
以上のようにして、転写シート供給部２００は、転写シートロール２３０の一部を繰り出して切断することによって、所定の長さの転写シート２４０を記録部３００に対して供給することができる。
【００４５】
転写シート２４０が消耗されると、使用済みの転写シートロール２３０を取り外して、新しい転写シート２４０と交換する必要がある。
この転写シートロール２３０の交換は、蓋５１１を開けて行うことができる。この際には、回転ラック２１０を回転させることにより、交換対象の転写シートロール２３０を、蓋５１１に対応する所定の交換位置に移動させておく。一方、ガラス基板収納カセット１３０の交換も、蓋５１１を開けることによって行う。
【００４６】
次に、記録部３００について説明する。
記録部３００はドラム３１０を有する。図８に示すように、ドラム３１０は中空の円筒形状を有しており、フレーム３２０に回転自在に保持されている。本記録装置１０においては、このドラム３１０の回転方向が主走査方向となる。ドラム３１０はモータの回転軸に連結されてモータによって回転駆動される。ドラム３１０の表面には複数の孔部が形成されている。この孔部は図示しないブロアや真空ポンプ等の吸引装置に接続されている。
前述のガラス基板１４０及び転写シート２４０をドラム３１０上に載置して吸引装置を作動させると、これらのシートはドラム３１０に吸着される。
【００４７】
また、ドラム３１０は複数の溝部（図示なし）を有しており、この複数の溝部はドラム３１０の回転軸と平行に、且つ一直線上に設けられている。また、ドラム３１０の上方において、複数の剥離爪（図示なし）がドラム３１０の回転軸と平行に、且つ一直線上に設けられている。
【００４８】
さらに、記録部３００は記録ヘッド３５０を有する。記録ヘッド３５０はレーザ光Ｌｂを出射することができる。このレーザ光Ｌｂが照射された位置の転写シート２４０のトナーインクは、ガラス基板１４０の表面に転写される。また、記録ヘッド３５０は、図示しない駆動機構によって、ガイドレール３２２に沿ってドラム３１０の回転軸に平行な方向に直線的に移動することができる。本記録装置１０においては、この移動方向が副走査方向となる。従って、ドラム３１０の回転運動と記録ヘッド３５０の直線移動との組合せによって、ガラス基板１４０を覆う転写シート２４０上の所望の位置をレーザ露光することが可能である。よって、描画用のレーザ光Ｌｂで転写シート２４０上を走査して、画像情報に基づいて対応する位置のみをレーザ露光することによって、所望の画像をガラス基板１４０に転写することができる。
【００４９】
次に、ガラス基板１４０及び転写シート２４０のドラム３１０への巻き付け動作について説明する。
ドラム３１０へは、ガラス基板１４０及び転写シート２４０の２種類のシートが巻き付けられる。ドラム３１０には、先ず、ガラス基板供給部１００によって供給されるガラス基板１４０が巻き付けられる。ガラス基板１４０の固定は、図２（ａ）で説明したローラ押さえ法や図２（ｂ）のバネ力押さえ法が採用されている。また、ドラム３１０の表面には複数の孔部（図示なし）が形成され、ガラス基板１４０は吸引装置（図示なし）によって吸引されるので、これによってもガラス基板１４０はドラム３１０の回転に伴って、ドラム３１０に吸着されながら巻き付けられることができる。
【００５０】
次に、転写シート供給部２００から供給される１枚の転写シート２４０が、ガラス基板１４０の上に巻き付けられる。ガラス基板１４０及び転写シート２４０の２種類のシートはその大きさが互いに異なっており、転写シート２４０の方が縦方向及び横方向のいずれの方向にもガラス基板１４０よりも大きくなっている。従って、転写シート２４０は、ガラス基板１４０よりも大きい部分によってドラム３１０に吸着される。転写シート２４０は、ドラム３１０の回転に伴って、ドラム３１０に吸着されながら巻き付けられる。
【００５１】
ドラム３１０に巻き付けられたガラス基板１４０及び転写シート２４０は、転写シート２４０のトナー層２４０ｃが、ガラス基板１４０の受像層１４０ｃの上に接触して存在している。このような位置関係を有するトナー層２４０ｃのトナーインクは、前述したように、記録ヘッド３５０によってレーザ露光されてガラス基板１４０に転写される。転写動作が終了した転写シート２４０は、ドラム３１０から剥離される。
【００５２】
次にこの剥離動作について説明する。
先ず、ドラム３１０を剥離のための所定の位置まで回転させる。そして、前述の剥離爪の先端部の位置をドラム３１０に接触しない待機位置からドラム３１０に接触する位置へと移動する。この移動の際には、剥離爪の先端部が転写シート２４０の上には接触しないようにする。ドラム３１０の回転に伴い、剥離爪はドラム３１０上をドラム３１０の表面に沿って周方向に相対的に移動する。剥離爪の先端部は、溝部の形状に沿ってドラム３１０の表面を相対的に移動して転写シート２４０の下側に潜り込む。転写シート２４０は剥離爪の上面に沿って移動する。転写シート２４０はドラム３１０から剥離される。
【００５３】
そして、剥離爪は、ガラス基板１４０に接触する前にさらにドラム３１０から離反する方向に上昇して、待機位置にまで移動する。転写シート２４０は先端部が剥離されたのち、引き続きドラム３１０が回転することによって、転写シート２４０は、さらにドラム３１０及びガラス基板１４０から剥離される。なお、この際、ガラス基板１４０は吸引装置の吸引力によってドラム３１０に吸着されたままであるので、転写シート２４０のみを剥離することができる。
以上の動作によって剥離された転写シート２４０は、さらに、後述の排出部４００を経由して装置外部へと排出される。
【００５４】
次に、ドラム３１０に巻き付けられたままのガラス基板１４０の上に、別色の転写シート２４０が上述した手順で巻き付けられる。そして、上述の動作によって、レーザ露光によって、ガラス基板１４０に転写シート２４０のトナーインクが転写された後、転写シート２４０を剥離して排出する。
同様の動作が、所定の複数の種類の転写シート２４０に対して繰り返される。例えば、Ｋ、Ｒ、Ｇ、Ｂの４種類の転写シート２４０に対して、上記動作が繰り返されることによって、ガラス基板１４０にカラー画像が転写される。
最後に、このようにして複数の種類のトナーインクが転写されたガラス基板１４０が剥離される。ガラス基板１４０の剥離は、転写シート２４０の剥離と同様にして行われる。この際、剥離爪は、複数の溝部に対して接近してガラス基板１４０をドラム３１０から剥離する。また剥離爪は転写シート２４０を剥離する際と同一のものを利用することができるので、構造を単純化することができる。従って、機械の信頼性を向上することができる。
上記のようにして剥離されたガラス基板１４０は、排出部４００へと排出されていく。
【００５５】
次に、排出部４００について説明する。
排出部４００は、シート共通搬送部４１０と、転写シート排出部４４０と、ガラス基板排出部４５０とを有する。
シート共通搬送部４１０は、モータ（図示なし）と、駆動伝達用のベルト又はチェーン（図示なし）と、搬送用ローラ４１４、４１５、４１６と、支持ガイド４１８、４１９と、検出センサ（図示なし）とを有している。また、シート共通搬送部４１０は、さらに、可動ガイド部を有しており、これはガイドプレート４３８と、図示しない駆動機構とから成っている。ガイドプレート４３８は、駆動機構によって、後述する２つの位置の間を移動することができる。
【００５６】
転写シート排出部４４０は、処理済みの転写シート２４０を転写シート回収箱５４０に排出するためのものである。
ガラス基板排出部４５０は、ガラス基板排出口４５１と、ローラ４５４、４５５と、ガイド４５８とを有する。画像が転写されたガラス基板１４０は、ガラス基板排出部４５０を経由して、トレー５５０に排出される。
各搬送用ローラ４１４、４１５、４１６、４５４、４５５は、前述のその他の搬送用ローラと同様に、２つのローラを１組として構成されており、２つのローラで挟んで回転することによって、ガラス基板１４０及び転写シート２４０を搬送することが可能である。
このような機構を有する排出部４００は、ガラス基板１４０の排出と転写シート２４０の排出とを次のような動作で行なっている。
【００５７】
先ず、転写シート２４０の排出について説明する。
記録部３００においてレーザ露光され不要となった転写シート２４０は、前述したようにしてドラム３１０から剥離される。剥離された転写シート２４０は、剥離爪、支持ガイド４１８、４１９、ガイドプレート４３８によって支持されつつ、搬送用ローラ４１４、４１５、４１６によって挟持されて送り出されることによって搬送される。
【００５８】
次に、ガラス基板１４０の排出について説明する。
ガラス基板１４０は、記録部３００でトナーインクが転写されて処理が行われた後、前述したようにして、ドラム３１０から剥離される。剥離されたガラス基板１４０は、剥離爪、支持ガイド４１８、４１９、ガイドプレート４３８によって支持されつつ、搬送用ローラ４１４、４１５、４１６によって挟持され、送り出されることによって搬送される。
【００５９】
なお、このシート共通搬送部４１０は転写シート２４０が排出される場合と共通であり、それぞれのシートに対して搬送部を設ける場合に比べて構造を簡単化することができる。なお、シート共通搬送部４１０において、転写シート２４０はトナー層を下側にして搬送され、ガラス基板１４０は受像層を上側にして搬送する。従って、同一の搬送路を利用して、順次、ガラス基板１４０及び転写シート２４０を搬送しても、ガラス基板１４０の受像層上に形成された画像が汚染されるおそれはない。
【００６０】
ガラス基板１４０は、搬送用ローラ４１４、４１５、４１６によって搬送されて、一旦、装置の外部へと排出される。ただし、ガラス基板１４０は、その全てが外部へ排出されるのではない。ガラス基板１４０の後端部がガイドプレート４３８上に存在し搬送用ローラ４１６に挟持されている状態において、モータによる駆動を一旦停止し、そして、モータを逆回転することによって、ガラス基板１４０をガラス基板排出口４５１方向に引き戻す。即ち「スイッチバック」動作を行う。上記駆動停止のタイミングは検出センサの信号を用いて決定される。検出センサはガラス基板１４０の後端が検出センサの位置を通過したことを検出し、その後、ガラス基板１４０が搬送されて所定の位置にまで達した時点でモータの駆動を停止する。
【００６１】
ここで、所定の位置とはガラス基板１４０の後端部がガイドプレート４３８上に存在し、且つ搬送用ローラ４１６に挟持されている状態にある位置を意味する。ガラス基板１４０がこの位置に至るまでの所定の距離を移動したかどうかは、検出センサによる後端検出時点からのモータの回転パルス数などから判断することができる。
【００６２】
可動ガイド部のガイドプレート４３８は、図示しない駆動機構によって駆動され、図に示す破線／実線の間を移動することができる。この駆動機構によりガイドプレート４３８は移動する。そして、停止していたモータが逆回転することによって、各搬送用ローラ４１６、４５４、４５５などを逆向きに駆動する。この逆回転によって、ガラス基板１４０は引き戻される。そして、ガラス基板１４０は、さらにガイド４５８に支持されつつ、搬送用ローラ４５４、４５５によって搬送されて、トレー５５０へと送り出される。トレー５５０に送出されたガラス基板は、前述したように、本記録装置１０から取り出された後、別設の画像転写部において追加の処理が行われる。これによって任意の印刷用紙に印刷される。
【００６３】
上記の動作は制御部（図示なし）によって制御される。
制御部は、ガラス基板供給部１００、転写シート供給部２００、記録部３００、排出部４００などを制御する。制御部は、上記各部において、モータなどを有する駆動部を制御し、特に記録部３００においては、吸引装置などのエア部や、画像データを処理する画像処理部などをさらに制御する。また転写シート供給部２００の駆動部は、回転ラック２１０の回転駆動系と転写シートロール２３０から転写シート２４０をドラム３１０に対して提供するシート搬送駆動系との２つの駆動系を有する。このうち、シート搬送駆動系のモータ駆動に関しては、前述したようにモータ駆動用のドライバを複数の転写シート繰出し機構について共用している。駆動回路系を簡略化している。
【００６４】
ガラス基板１４０は、図９に示すように、ガラス支持層１４０ａとその上に受像層１４０ｃを有しているので、ガラス基板収納カセット１３０においては、受像層１４０ｃが支持層１４０ａに対して外側になるように積み重ねられている。
【００６５】
上記のような記録装置１０によって、所望のカラー画像をガラス基板１４０上に形成することが可能である。以下では、Ｋ、Ｒ、Ｇ、Ｂの４色を用いてカラー画像を形成する場合について動作手順を説明する。
【００６６】
図１０に示すように、先ずステップ１において、ガラス基板供給部１００（図７）は、ガラス基板収納カセット１３０からガラス基板１４０を１枚取り出しドラム３１０（図８）に対して供給し、ドラム３１０に巻き付けられる。
ステップ２において、このガラス基板１４０ａの上に受像フィルム１５０を重ねる。受像フィルム１５０は支持体１５０ａとこの支持体１５０ａの上に剥離可能に設けられた受像層１５０ｃとで構成されているので、この場合、受像フィルム１５０の受像層１５０ｃをガラス基板１４０ａに対向させて重ね合わせる。
ただし、このステップ２は省略することもある。
ステップ３で、受像フィルム１５０とガラス基板１４０ａの重なった状態で、受像フィルム支持体１５０ａ側を押圧（同時に加熱の場合もある。）ローラで押圧して間の空気を除去して受像層１５０ｃとガラス基板１４０ａとを互いに密着させる。ただし、ステップ３は省略することもある。
ステップ４で、受像フィルム支持体１５０ａを剥離すると、受像フィルムの受像層１５０ｃがガラス基板１４０ａの上に残り、支持体１５０ｃに受像層１５０ｃ（図９の１４０ｃに同じ）が形成され、受像層付きガラス基板１４０（以後、単にガラス基板という。）が得られる。
【００６７】
次に、図１０のステップ５において、転写シート供給部２００（図７）は、ブラックの（Ｋ）転写シート２４０をドラム３１０上のガラス基板１４０に対して供給する。
転写シート供給部２００の回転ラック２１０が回転することによって、ブラックの転写シートロール２３０が転写シート搬送路２７０に対向する位置に移動される。転写シート２４０は、外巻きの転写シートロール２３０の一部が繰出されて切断されることによって提供され、ドラム３１０に巻き付けられる。この時、転写シートロール２３０から繰り出されている転写シート２４０の先端は回転ラック２１０外部のカッタ２８０近傍にある。この際、転写シート２４０を供給した後、転写シート繰出し機構２５０は、フィードローラ２５４を逆転駆動させて転写シートロール２３０の先端部を回転ラック２１０の外周部よりも内側に格納することができる。ただし、この場合でもフィードローラ２５４は、その先端部を挟持している。
【００６８】
図１０のステップ６では、加熱・加圧して転写シート２４０をラミネートする。このラミネート工程は、省略される場合もある。
次のステップ７では、予め与えられた画像データに基づいて、ガラス基板１４０上に画像が転写出力される。ここで、与えられた画像データは、各色ごとの画像にさらに色分解されており、レーザ露光は、色分解された各色ごとの画像データに基づいて行われる。色分解後の各色別画像データに基づいて、記録ヘッド３５０は、描画用のレーザ光スポットＬｓを転写シート２４０に対して照射する。ガラス基板１４０に転写シート２４０のトナーインクが転写され、ガラス基板１４０上に像が形成される。
【００６９】
そしてステップ８において、（Ｋ）転写フィルム２４０が剥離されると、レーザ光が照射された（Ｋ）転写フィルム部分はガラス基板１４０に残り、非照射部分は（Ｋ）転写フィルム２４０と共に排出される。ドラム３１０から剥離された転写シート２４０は、排出部４００を経由して転写シート回収箱５４０に排出される。
【００７０】
ここで、全ての色、すなわちレッド（Ｒ）、グリーン（Ｇ）、ブルー（Ｂ）の転写フィルム２４０に対して、転写が終了したかどうかを判断する。そして、別の種類の転写フィルム２４０の供給が必要な場合は、上記のステップ５〜８までの処理を繰り返す。つまり、他のレッド（Ｒ）、グリーン（Ｇ）、ブルー（Ｂ）の各色の転写フィルム２４０について、ステップ９〜２０までの各動作が繰り返される。その結果、４色の転写フィルムのトナーインクＫＲＧＢが１枚のガラス基板１４０に転写され、ガラス基板１４０上にカラー画像が形成される。
【００７１】
上記処理が終了すると、最後の転写シート２４０に対するレーザ露光が終了したことが判断される。
そして、ガラス基板１４０が、ドラム３１０から剥離される。剥離されたガラス基板１４０は、排出部４００を経由してスイッチバック動作を伴って、トレー５５０に排出される。
【００７２】
【発明の効果】
以上のように、本発明によれば、ガラス基板を円筒状支持体上に固定し、該円筒状支持体を回転させ（主走査）、レーザ記録ヘッドを前記円筒状支持体軸方向に移動させ（副走査）、前記レーザ記録ヘッドから画像様にレーザ光を変調制御して前記ガラス基板上に画像文字等を記録するようにしたので、以下のａ〜ｃのような効果が得られる。
ａ．先行発明のような平面記録装置に比べ、ドラムの方が装置コストが格段に安くなる。（先行発明の１／１０〜１／２０となる。）
ｂ．低コストでありながら、高精度が得られる。
ｃ．従来より印刷分野等で用いられている、ＣＴＰ（Ｃｏｍｐｕｔｅｒ　ＴｏＰｌａｔｅ）やＤＤＣＰ装置をそのまま応用可能なので、開発期間／開発費用を少なくできる。
【図面の簡単な説明】
【図１】本発明の第１の実施の形態を示す図で、（ａ）は円筒状ドラムにガラス基板が巻かれた状態の斜視図、（ｂ）は図１（ａ）のＡ−Ａ断面図、（ｃ）は図１（ａ）のＢ−Ｂ断面図を示している。
【図２】本発明の第２の実施の形態を示す図で、（ａ）は２枚の円盤にガラス基板が巻かれた状態の斜視図、（ｂ）は図２（ａ）のＡ−Ａ断面図、（ｃ）は図２（ａ）のＢ−Ｂ断面図を示している。
【図３】平面ガラス基板の固定方法の具体例を示すもので、（ａ）はローラで押さえる方法、（ｂ）はバネ等の力で押さえる方法を示している。
【図４】本記録方法によってガラス基板に記録される記録パターンの一例を示すもので、液晶用カラーフィルタの例を示している。
【図５】ガラス基板の厚さ（ｍ）を変えたときの３種類のガラスの曲率半径（ｍ）の変化を示す表である。
【図６】図５に示す表をグラフ化したもので、３種類のガラスについて厚さ（ｍ）を変えたときの曲率半径（ｍ）の変化を示している。
【図７】円筒状支持体にガラス基板を固定して記録する本発明の記録装置の１例を全体概略で示す構成図である。
【図８】図７の記録部の拡大斜視図である。
【図９】図７の記録装置に使用されるガラス基板と転写シートの断面図である。
【図１０】図７の記録装置が行う記録工程を概念的に示す説明図である。
【図１１】本出願人の先行発明である特願２００１−１８９９１３号の記録装置の平面図である。
【図１２】図１１の記録装置の正面図である。
【符号の説明】
１０　記録装置
１１　円筒状ドラム
１００　ガラス基板供給部
１３０　ガラス基板収納カセット
１５１　ガラス基板搬送部
１５４、１５５　搬送用ローラ
１５６　支持ガイド
２００　転写シート供給部
２１０　回転ラック
２１１、２１２　円盤
２１３　回転軸
２３０　転写シートロール
２４０　転写シート
２４０ａ　支持層
２４０ｂ　光熱変換層
２４０ｃ　トナー層
２５０　転写シート繰出し機構
２５４　フィードローラ
２５６　支持ガイド
２７０　転写シート搬送部
２７４、２７５　搬送用ローラ
２７６　ガイド
２８０　転写シート切断部
３００　記録部
３１０　ドラム
３５０　記録ヘッド
４００　排出部
４１０　シート共通搬送部
４１４、４１５、４１６　搬送用ローラ
４１８、４１９　支持ガイド
４３８　ガイドプレート
４４０　転写シート排出部
４５０　ガラス基板排出部
４５１　ガラス基板排出口
４５４、４５５　ローラ
４５８　ガイド
５１０　本体カバー
５１１　蓋
５２０　脚部
５４０　転写シート回収箱
５５０　トレー
Ｇ　ガラス基板
【図１】
2004098559.tif 000003
【図２】
2004098559.tif 000004
【図３】
2004098559.tif 000005
【図４】
2004098559.tif 000006
【図５】
2004098559.tif 000007
【図６】
2004098559.tif 000008
【図７】
2004098559.tif 000009
【図８】
2004098559.tif 000010
【図９】
2004098559.tif 000011
【図１０】
2004098559.tif 000012
【図１１】
2004098559.tif 000013
【図１２】
2004098559.tif 000014